(57)【要約】【課題】  本発明の目的は、必要に応じて片側を固定するか両側を固定するかのいずれかの固定方法を選択できるシート定着部材の提供である。【解決手段】  温室の骨組み１０にシート２０を定着させるシート定着部材Ａにおいて、長尺の底部フレーム１と、この底部フレーム１の長手側の一端から垂直方向に起立する第一側部フレーム２と、上記底部フレーム１の長手側の他端から上記第一側部フレーム２に向けて延びる第二側部フレーム３と、上記第一側部フレーム２の反第二側部フレーム３側に連結されて上記骨組み１０に固定される固定フレーム４と、上記第一側部フレーム２と上記第二側部フレーム３の反底部フレーム１側にそれぞれ連結されて上記シート２０を支えるシート支持部５とを備えており、上記第二側部フレーム３は、一端が上記底部フレーム１の他端に連なり上記底部フレーム１に重なる重複部Ｂと、この重複部Ｂの他端から斜めに起立する傾斜部６とを備える。 【選択図】  図１
2016007183.tif 000002
【特許請求の範囲】
【請求項１】
温室の骨組みにシートを定着させるシート定着部材において、
長尺の底部フレームと、この底部フレームの長手側の一端から垂直方向に起立する第一側部フレームと、上記底部フレームの長手側の他端から上記第一側部フレームに向けて延びる第二側部フレームと、上記第一側部フレームの反第二側部フレーム側に連結されて上記骨組みに固定される固定フレームと、上記第一側部フレームと上記第二側部フレームの反底部フレーム側にそれぞれ連結されて上記シートを支えるシート支持部とを備えており、
上記第二側部フレームは、一端が上記底部フレームの他端に連なり上記底部フレームに重なる重複部と、この重複部の他端から斜めに起立する傾斜部とを備えることを特徴とするシート定着部材。
【請求項２】
上記傾斜部は、反第一側部フレーム側に向けて突出する突出部を備えることを特徴とする請求項１に記載のシート定着部材。
【請求項３】
上記突出部は、反第一側部フレーム側に向けて膨らむように湾曲していることを特徴とする請求項２に記載のシート定着部材。
【請求項４】
上記重複部にビスの頭部を引っ掛け、あるいはビスを貫通させることで上記重複部が上記骨組みに固定されることを特徴とする請求項１から３のいずれか１項に記載のシート定着部材。
【発明の詳細な説明】
【技術分野】
【０００１】
この発明は、シート定着部材に関するものである。
【背景技術】
【０００２】
温室の骨組みにシートを定着させるシート定着部材には、例えば、特許文献１に開示されるような、図９中奥行き方向に長尺な底部フレーム１０１と、この底部フレーム１０１の長手側の一端から垂直方向に起立する第一側部フレーム１０２と、上記底部フレーム１０１の長手側の他端から上記第一側部フレーム１０２に向けて延びる第二側部フレーム１０３と、上記第一側部フレーム１０２の反第二側部フレーム１０３側に連結されて骨組みに固定される固定フレーム１０４と、上記第一側部フレーム１０２と上記第二側部フレーム１０３の反底部フレーム１０１側にそれぞれ連結されてシートを支えるシート支持部１０５とを備えるシート定着部材１００がある。
【０００３】
上記シート定着部材１００によると、固定フレーム１０４をビスで骨組みに固定し、さらに、シート支持部１０５にシートを乗せ、その上から押え材を被せて、押え材の上からビスを挿入して固定することで、シートを骨組みに定着させることができる。
【先行技術文献】
【特許文献】
【０００４】
【特許文献１】実用新案登録第３０７３１７８号
【発明の概要】
【発明が解決しようとする課題】
【０００５】
ここで、長期間の利用により固定フレームと骨組みとを連結するビスが緩んだときに、後から補強しようとした場合や、シート定着部材と骨組みをあらかじめ強固に固定したい場合、例えば、屋根面の四隅に配置されるシート定着部材を骨組みに固定する場合などでは、シート定着部材の固定強度を高めるため、第二側部フレーム側を骨組みに固定することが好ましい。このようにすることで、シート定着部材の両側を固定でき、安定かつ強固になる。
【０００６】
しかしながら、図９に示すような従来のシート定着部材１００の第二側部フレーム１０３は、底部フレーム１０１の端部に連結される連結部１０６と、この連結部１０６の反底部フレーム１０１側端から第一側部フレーム１０２側に向けて斜めに延びる直線状の傾斜部１０７とを備えている。そして、連結部１０６は、第一側部フレーム１０２側に向けて開くＵ字状になっており、この連結部１０６から骨組みにビスを挿入することは困難であるので、傾斜部から骨組みにかけてビスを貫通させようとしても、シート固定用のビスとの干渉が懸念され、第二側部フレーム１０３側を骨組みに固定することが困難である。
【０００７】
また、図１０に示すように、シート定着部材２００の両側に固定フレーム２０１を設けた場合には、両側をビスで骨組みに固定することができるようになるので、シート定着部材２００を安定かつ強固に固定できるものの、片側だけを固定すると反対側が不安定になってしまう。このため、強度の必要ない所でも常にシート定着部材２００の両側をビスで固定する必要があり、作業負担が増してしまう。
【０００８】
そこで、本発明の目的は、必要に応じてシート定着部材の片側を固定するか両側を固定するかのいずれかの固定方法を選択できるシート定着部材を提供することである。
【課題を解決するための手段】
【０００９】
上記課題を解決するための手段は、温室の骨組みにシートを定着させるシート定着部材において、長尺の底部フレームと、この底部フレームの長手側の一端から垂直方向に起立する第一側部フレームと、上記底部フレームの長手側の他端から上記第一側部フレームに向けて延びる第二側部フレームと、上記第一側部フレームの反第二側部フレーム側に連結されて上記骨組みに固定される固定フレームと、上記第一側部フレームと上記第二側部フレームの反底部フレーム側にそれぞれ連結されて上記シートを支えるシート支持部とを備えており、上記第二側部フレームは、一端が上記底部フレームの他端に連なり上記底部フレームに重なる重複部と、この重複部の他端から斜めに起立する傾斜部とを備えることを特徴とするものである。
【発明の効果】
【００１０】
本発明によれば、必要に応じてシート定着部材の片側を固定するか両側を固定するかのいずれかの固定方法を選択することが可能となる。
【図面の簡単な説明】
【００１１】
【図１】本発明の一実施の形態に係るシート定着部材を示す正面図である。
【図２】本発明の一実施の形態に係るシート定着部材の使用状態を示す断面図である。
【図３】図２の分解斜視図である。
【図４】本発明の一実施の形態に係るシート定着部材の断面図であって、重複部にビスを真上から貫通させている状態を示している。
【図５】本発明の一実施の形態に係るシート定着部材の断面図であって、重複部にビスを斜めに貫通させている状態を示している。
【図６】本発明の一実施の形態に係るシート定着部材の断面図であって、重複部にビスの頭部を引っ掛けるように当てながらビスをねじ込み固定している状態を示している。
【図７】本発明の一実施の形態に係るシート定着部材の第一の変形例を示す正面図である。
【図８】本発明の一実施の形態に係るシート定着部材の第二の変形例を示す正面図である。
【図９】従来のシート定着部材を示す正面図である。
【図１０】従来のシート定着部材の他の形態を示す正面図である。
【発明を実施するための形態】
【００１２】
以下に本発明の一実施の形態に係るシート定着部材について、図面を参照しながら説明する。いくつかの図面を通して付された同じ符号は、同じ部品か対応する部品を示す。
【００１３】
図３に示すように、本実施の形態に係るシート定着部材Ａは、温室の骨組み１０にシート２０を定着させるものであり、長尺の底部フレーム１と、この底部フレーム１の長手側の一端から垂直方向に起立する第一側部フレーム２と、上記底部フレーム１の長手側の他端から上記第一側部フレーム２に向けて延びる第二側部フレーム３と、上記第一側部フレーム２の反第二側部フレーム３側に連結されて上記骨組み１０に固定される固定フレーム４と、上記第一側部フレーム２と上記第二側部フレーム３の反底部フレーム１側にそれぞれ連結されて上記シート２０を支えるシート支持部５とを備えている。そして、図１中に示すように、上記第二側部フレーム３は、一端が上記底部フレーム１の他端に連なり上記底部フレーム１に重なる重複部Ｂと、この重複部Ｂの他端から斜めに起立する傾斜部６とを備えている。
【００１４】
以下、詳細に説明すると、本実施の形態に係るシート定着部材Ａは、骨組み１０上にビス４０を介して固定され、温室の骨組み１０にシート２０を定着させて、例えば温室の屋根面、側面、妻面等にシート２０を展張する。
【００１５】
図３に示すように、本実施の形態に係る底部フレーム１は、矩形板状であって、長尺に形成されており、シート定着部材Ａが骨組み１０に固定される際には、骨組み１０に接地する。この底部フレーム１の長手側とは、底部フレーム１の外周に位置する一対の長辺と一対の短辺のうち何れかの長辺側をいうものである。
【００１６】
この底部フレーム１の一方の長手側端部には図１中上向きにカーブする丸角７が設けられており、底部フレーム１の長手側の一端となる上記丸角７の図１中上端から第一側部フレーム２が垂直方向に延びている。他方、丸角７の反対側となる底部フレーム１の長手側の他端には、第一側部フレーム２に向けて延びる第二側部フレーム３が設けられている。
【００１７】
底部フレーム１の長手側の一端から垂直方向に延びる第一側部フレーム２は、図３に示すように、長尺な板体であり、底部フレーム１の長手方向に沿って延びている。
【００１８】
底部フレーム１の長手側の他端から第一側部フレーム２に向けて延びる第二側部フレーム３は、第一側部フレーム２と同様に、底部フレーム１の長手方向に沿って延びる長尺な板体であり、一端が底部フレーム１の他端に連なり上記底部フレーム１に重なる重複部Ｂと、この重複部Ｂの他端から第一側部フレーム２に向けて斜めに起立する傾斜部６からなる。また、上記重複部Ｂと傾斜部６の境目は、反第一側部フレーム２側に開く、くの字状になっている。
【００１９】
本実施の形態において、重複部Ｂは、シート定着部材Ａを形成するための板状母材を折り畳むことで底部フレーム１に重なるようになっている。そして、重複部Ｂは、底部フレーム１の上側に平行に配置され、重複部Ｂと底部フレーム１の対向面が当接するようになっている。このようにすることで、重複部Ｂの図２中上側から骨組み１０にかけてビス６０を貫通させたり、重複部Ｂにビス６０の頭部を引っ掛けたりして、シート定着部材Ａの第二側部フレーム３側を固定することができる。なお、重複部Ｂの形成方法は上記の限りではなく、任意である。また、重複部Ｂの短手側（図１中左右方向）の寸法は、重複部Ｂを利用したビス６０による固定の妨げとならない範囲で任意に設定することが可能である。また、重複部Ｂを利用したビス６０による固定が可能であれば、重複部Ｂと底部フレーム１との間にわずかな隙間があっても問題はない。
【００２０】
傾斜部６は、反第一側部フレーム２側に向けて突出する突出部からなり、反第一側部フレーム２側に向けて膨らむように湾曲している。このように、本実施の形態において、傾斜部６が突出部からなるので、後述のシート支持部５，５の間にビス５０を挿入して傾斜部６を弾性変形させた際の反力が高くなり、ビス５０を保持する力を高めることができる。
【００２１】
第一側部フレーム２の反第二側部フレーム３側に連結されて骨組み１０に固定される固定フレーム４は、図１及び図２に示すように、第一側部フレーム２の反第二側部フレーム３側の面に沿うように配置される側部４ａと、この側部４ａの図１、図２中下端から反第一側部フレーム２側に延びる底部４ｂとからなる断面Ｌ字状の長尺なフレームであって、この底部４ｂが骨組み１０にビス４０で固定される。なお、固定フレーム４の形状は、骨組み１０に固定される部分を有していればよく、Ｌ字状に限定されない。
【００２２】
また、固定フレーム４の底部４ｂの図１，２中上側には、ビスガイド溝４ｃが設けられている。具体的には、ビスガイド溝４ｃは、断面Ｖ字状の窪みであって、上記底部４ｂの短手方向の略中央に配置され、図３に示すように長手方向に延びている。これによると、上記底部４ｂにビス４０を貫通させてシート定着部材Ａを固定する場合に、ビスガイド溝４ｃがビス４０を案内するので、骨組み１０への固定を容易にすることができる。
【００２３】
戻って、図２に示すように、第一側部フレーム２の反底部フレーム１側と、第二側部フレーム３の反底部フレーム１側には、それぞれシート支持部５が連結されており、これらシート支持部５，５でシート２０を支えることができる。
【００２４】
詳しくは、第一側部フレーム２に連結されたシート支持部５は、第一側部フレーム２の図２中上端から第二側部フレーム３側に向けて膨らみ、終端が固定フレーム４における側部４ａの図２中上端に連結されるように形成されている。他方の、第二側部フレーム３に連結されたシート支持部５は、第二側部フレーム３における傾斜部６の図２中上端から第一側部フレーム２側に向けて膨らみ、終端が第二側部フレーム３の反第一側部フレーム２側面に接地するように形成される。また、第一側部フレーム２側と第二側部フレーム３側のシート支持部５，５において、最も接近する部分をそれぞれ頂部８とすると、これら頂部８，８は、本実施の形態において、同じ高さになるように設けられる。
【００２５】
本実施の形態においては、上記シート支持部５は、それぞれ膨らみを有した形状になっているが、これは、上記シート支持部５が引っかかることでシート２０に傷をつけることを防止するためであるから、上記シート支持部５の形状は、シート２０を傷つけないような形状であればよく、上述したような形状には限定されない。
【００２６】
図２及び図３に示すように、押え材３０によって、シート支持部５に支えられるシート２０が外れないように上から押えられる。
【００２７】
上記押え材３０は、ビス５０を挿入するためのビス孔３０ａが設けられた板状の部材であって、上記ビス孔３０ａにビス５０を挿入して、頂部８，８の間隔にそのビス５０を挟持させ固定することで、上記押え材３０とシート定着部材Ａの間に挟持されたシート２０が外れないように押えることができる。
【００２８】
つづいて、本実施の形態に係るシート定着部材Ａを利用した具体的なシート２０の定着方法の一例を説明する。
【００２９】
まず、図２に示すように、固定フレーム４の底部４ｂとその下の骨組み１０をビス４０で貫通させることで、シート定着部材Ａが骨組み１０に固定される。この際、上記底部４ｂには、ビスガイド溝４ｃが設けられているため、ビス４０は案内され骨組み１０に挿入されやすくなる。
【００３０】
次に、シート支持部５にシート２０を乗せ、その上から押え材３０でシート２０を押えるようにして重ねる。そして、上記押え材３０に設けられるビス孔３０ａにビス５０を挿入して、そのビス５０を、図２に示すように、頂部８，８の間隔に挟持させることで、シート２０を押え材３０とシート定着部材Ａの間に固定し、骨組み１０に定着させる。
【００３１】
さらに、長期間の利用により固定フレーム４と骨組み１０とを連結するビス４０が緩んだときに、後から補強しようとした場合や、シート定着部材Ａと骨組み１０をあらかじめ強固に固定したい場合に、第二側部フレーム３と骨組み１０を以下第一から第三に示す方法で固定できる。
【００３２】
第一の方法は、図４に示すように、重複部Ｂにビス６０を真上から挿入する方法である。
【００３３】
第二の方法は、図５に示すように、重複部Ｂにビス６０を斜めから挿入する方法である。第二の方法によると、上記重複部Ｂと傾斜部６の境目が、反第一側部フレーム２側に開く、くの字状になっており、上記重複部Ｂと傾斜部６の境目が、ビス６０をガイドする溝の役目を果たすため、ビス６０がずれにくく、打ち込みやすい。また、第二の方法によれば、ビス６０の頭部で傾斜部６が第一側部フレーム２側に押されるので、頂部８，８の間隔を狭める方向に力が働き、ビス５０の抜けを抑制できる。
【００３４】
第三の方法は、図６に示すように、重複部Ｂにビス６０の頭部を引っ掛けて骨組み１０にねじ込み固定する方法である。シート定着部材Ａが金属製の場合、シート定着部材Ａには一般的に錆防止用のコーティングが施されており、ビス６０を貫通させると、コーティングがされていない部分がむき出しになってしまうため、この部分で錆が発生しやすい。第三の方法によれば、シート定着部材Ａの重複部Ｂにビス６０を貫通させることなくシート定着部材Ａの第二側部フレーム３側を固定でき、錆を生じにくい。
【００３５】
また、本実施の形態に係るシート定着部材Ａを骨組み１０に固定する場合に、強度の必要ない所ではシート定着部材Ａの固定フレーム４側のみを固定したとしても反対側が不安定になることがなく、必ずしも両側をビス４０，６０で固定する必要がない。このため、上記第一から第三の方法で示すような方法を利用してシート定着部材Ａの両側を固定するか、シート定着部材Ａの片側（固定フレーム４側のみ）を固定するかのいずれかの固定方法を選択できる。したがって、図１０に示すような常に両側から固定フレーム２０１をビスで固定するシート定着部材２００に比べて作業負担が減少する。加えて、シート定着部材Ａの材料や打ち込むビスの数も節約できるため、コストを削減することができる。
【００３６】
なお、上記した説明において、シート２０をシート定着部材Ａに定着させるためのビス５０と、固定フレーム４側を骨組み１０に固定するためのビス４０と、第二側部フレーム３側を骨組み１０に固定するためのビス６０の符号を分けているが、ビス５０，４０，６０が同じ種類のビスであってもよく、使用するビス５０，４０，６０の種類は任意に選択できる。
【００３７】
以下、本実施の形態に係るシート定着部材Ａの作用効果について説明する。
【００３８】
本実施の形態において、図４から図６に示すように、重複部Ｂにビス６０の頭部を引っ掛け、あるいはビス６０を貫通させることで上記重複部Ｂが骨組み１０に固定される。
【００３９】
上記構成によれば、重複部Ｂにビス６０の頭部を引っ掛けて骨組み１０に固定する場合、ビス６０が重複部Ｂを貫通しないため、錆が生じにくい。また、ビス６０を重複部Ｂに貫通させて骨組み１０に固定する場合であって、ビス６０の頭部で傾斜部６を第一側部フレーム２側に押すようにする場合には、頂部８，８の間隔を狭める方向に力が働き、ビス５０の抜けを抑制できる。
【００４０】
本実施の形態において、図１及び図２に示すように、傾斜部６は、反第一側部フレーム２側に向けて膨らむように湾曲する突出部からなる。
【００４１】
上記構成によれば、シート支持部５，５の間にビス５０を挿入して傾斜部６を弾性変形させた際の反力が高くなり、ビス５０を保持する力を高めることができる。したがって、上記第三の方法でシート定着部材Ａの第二側部フレーム３側を固定する場合に、重複部Ｂの図６中左端部がビス６０の頭部で下側に押されて重複部Ｂが傾斜し、頂部８，８の間隔が多少広くなったとしても、ビス５０を保持する力を維持することができる。
【００４２】
なお、突出部の形状は任意であり、反第一側部フレーム２側に向けて突出するようになっていれば、上記効果を奏することができる。例えば、傾斜部６の一部が湾曲して突出部を構成するとしてもよい。また、図７に示すように、傾斜部６を折り曲げることで突出部を形成してもよいが、本実施の形態のように突出部を湾曲させることにより、突出部を形成しやすく、シート定着部材Ａの美観を向上させることができる。
【００４３】
また、上記第一、第二の方法でシート定着部材Ａの第二側部フレーム３側を固定する場合など、固定方法によって頂部８，８の間隔の開きが心配されない、あるいは、抑制されている場合や、第三の方法で固定しても素材等によってビス５０を保持する力を維持できる場合には、図８に示すように、傾斜部６が突出部を有しておらず、直線状に形成されるとしてもよく、第二側部フレーム３の構成は、重複部Ｂを備える限り、任意に変更できる。
【００４４】
また、本実施の形態において、温室の骨組み１０にシート２０を定着させるシート定着部材Ａは、長尺の底部フレーム１と、この底部フレーム１の長手側の一端から垂直方向に起立する第一側部フレーム２と、上記底部フレーム１の長手側の他端から上記第一側部フレーム２に向けて延びる第二側部フレーム３と、上記第一側部フレーム２の反第二側部フレーム３側に連結されて上記骨組み１０に固定される固定フレーム４と、上記第一側部フレーム２と上記第二側部フレーム３の反底部フレーム１側にそれぞれ連結されて上記シート２０を支えるシート支持部５とを備えており、上記第二側部フレーム３は、一端が上記底部フレーム１の他端に連なり上記底部フレーム１に重なる重複部Ｂと、この重複部Ｂの他端から斜めに起立する傾斜部６とを備える。
【００４５】
上記構成によれば、重複部Ｂを備えることで、必要に応じてシート定着部材Ａの片側を固定するか両側を固定するかのいずれかの固定方法を選択することができる。
【００４６】
以上、本発明の好ましい実施の形態を詳細に説明したが、特許請求の範囲から逸脱することなく改造、変形及び変更を行うことができることは理解すべきである。
【符号の説明】
【００４７】
Ａ  シート定着部材
Ｂ  重複部
１  底部フレーム
２  第一側部フレーム
３  第二側部フレーム
４  固定フレーム
５  シート支持部
６  傾斜部
１０  骨組み
２０  シート
【図１】
2016007183.tif 000003
【図２】
2016007183.tif 000004
【図３】
2016007183.tif 000005
【図４】
2016007183.tif 000006
【図５】
2016007183.tif 000007
【図６】
2016007183.tif 000008
【図７】
2016007183.tif 000009
【図８】
2016007183.tif 000010
【図９】
2016007183.tif 000011
【図１０】
2016007183.tif 000012